(57)【要約】      （修正有）【課題】器具の誤触発を防止できるステープリングヘッドアセンブリ及び内視鏡外科手術縫合切断装置を提供する。【解決手段】ステープルカートリッジホルダに連結する連結管内に移動可能に設けられるカッター押し棒６と、安全機構と、を備える。連結管は、上支持材５１、下支持材５２と、スリーブとを備える。安全機構は、押さえブロック８１及び押しブロック８２を備え、押さえブロック８１は、連結管に対して第１の位置と第２の位置との間に回転でき、カッター押し棒６がロック状態及びロック解除状態にあるようになり、押しブロック８２は、連結管に対してその縦方向に沿って第３の位置と第４の位置との間に移動でき、押しブロック８２が第３の位置から第４の位置に移動した場合、押さえブロック８１を押して当該押さえブロック８１を第１の位置から第２の位置に回転させる。【選択図】図３ａ
0003214069.tif 000002
【実用新案登録請求の範囲】
【請求項１】
ステープルカートリッジが着脱可能に設けられるステープルカートリッジホルダと、
ステープルカートリッジに対して回転可能に閉合するステープルアンビルと、
前記ステープルカートリッジ内に移動可能に設けられる触発ブロックと、
その遠位端が前記ステープルカートリッジホルダの近位端に連結する連結管と、
前記連結管内に移動可能に設けられ、その遠位端には、前記カッター押し棒の推進下で前記触発ブロックを押して前記触発ブロックを移動させるカッターが設けられるカッター押し棒と、
前記連結管に連結する安全機構と、を備え、
前記安全機構は、
前記カッター押し棒の近位端をロックし、前記カッター押し棒が前記ステープリングヘッドアセンブリの使用前に移動することを防止するための、前記連結管に対して第１の位置と第２の位置との間に回転できる押さえブロックと、
前記押さえブロックを押して前記押さえブロックを前記第１の位置から前記第２の位置へ回転させるための、前記押さえブロックの一側に位置され、且つ前記連結管に対してその縦方向に沿って第３の位置と第４の位置との間に移動できる押しブロックと、を備えるステープリングヘッドアセンブリ。
【請求項２】
前記カッター押し棒の近位端に第１の係止部が設けられ、前記押さえブロックに第２の係止部が設けられ、前記押さえブロックが前記第１の位置に位置する場合、前記第２の係止部が前記第１の係止部に係止し、前記カッター押し棒がロック状態にあって移動できなく、前記押さえブロックが前記第２の位置に回転した場合、前記第２の係止部が前記第１の係止部から離脱し、前記カッター押し棒がロック解除状態にあり、縦方向に移動できることを特徴とする請求項１に記載のステープリングヘッドアセンブリ。
【請求項３】
前記押しブロックは、前記連結管の外周に設けられ、前記押しブロックが前記第３の位置から前記第４の位置に移動した場合、前記押さえブロックを押して前記押さえブロックを前記第１の位置から前記第２の位置に回転させることを特徴とする請求項１に記載のステープリングヘッドアセンブリ。
【請求項４】
前記連結管の側壁には、その縦方向に沿って延伸する第１の位置規制溝が設けられ、前記押さえブロックは、ピン軸によって前記第１の位置規制溝内に連結し、且つ前記ピン軸を回って前記連結管に対して回転できることを特徴とする請求項２に記載のステープリングヘッドアセンブリ。
【請求項５】
前記押さえブロックの近位端は、前記ピン軸によって前記連結管に連結し、前記第２の係止部は、前記押さえブロックの遠位端に設けられることを特徴とする請求項４に記載のステープリングヘッドアセンブリ。
【請求項６】
前記連結管には、その縦方向に沿って延伸された第２の位置規制溝がさらに設けられ、前記第２の位置規制溝は、前記第１の位置規制溝の一側に位置し、且つ前記第１の位置規制溝に連通し、前記押しブロックは、前記第２の位置規制溝内に設けられ、且つ前記第２の位置規制溝に沿って前記第３の位置と第４の位置との間に移動できることを特徴とする請求項４に記載のステープリングヘッドアセンブリ。
【請求項７】
前記安全機構は、
前記押さえブロックと前記連結管に連結し、前記押さえブロックが前記第２の位置から前記第１の位置へ回転するように駆動するトーションスプリングと、
前記押しブロックと前記連結管に連結し、前記押しブロックが前記第４の位置から前記第３の位置方向へ移動するように駆動するスプリングと、をさらに備えることを特徴とする請求項１〜６のいずれか１項に記載のステープリングヘッドアセンブリ。
【請求項８】
前記スプリングの近位端は、前記押しブロックの遠位端に連結し、前記スプリングの遠位端は、前記連結管に連結することを特徴とする請求項７に記載のステープリングヘッドアセンブリ。
【請求項９】
前記トーションスプリングの一端は、前記押さえブロックに連結し、その他端は、前記連結管の内壁に連結することを特徴とする請求項７に記載のステープリングヘッドアセンブリ。
【請求項１０】
前記押しブロックの外面には、第１の案内部が設けられ、前記押さえブロックの遠位端の前記押しブロックに近づく一側の側壁には、第２の案内部が設けられ、前記第２の案内部は、前記押しブロックの外面に設置され、前記押しブロックが前記第３の位置から前記第４の位置に移動する場合、前記第１の案内部は、前記押さえブロックが前記第１の位置から前記第２の位置に回転するように第２の案内部を押すことを特徴とする請求項１〜６のいずれか１項に記載のステープリングヘッドアセンブリ。
【請求項１１】
前記第１の案内部は、第１の傾斜面であり、前記第１の傾斜面は、前記押しブロックの遠位端に向かって、且つ遠位端から近位端に向かって上昇するように傾斜することを特徴とする請求項１０に記載のステープリングヘッドアセンブリ。
【請求項１２】
前記第２の案内部は、前記押さえブロックの遠位端の側壁に凸設されるバンプであることを特徴とする請求項１１に記載のステープリングヘッドアセンブリ。
【請求項１３】
前記カッター押し棒の近位端には、第３の案内部がさらに設けられ、前記カッター押し棒が前記連結管の近位端へ移動する場合、前記第３の案内部は、前記押さえブロックが前記第１の位置から第２の位置に回転するように案内することを特徴とする請求項１２に記載のステープリングヘッドアセンブリ。
【請求項１４】
前記第３の案内部は、第２の傾斜面であり、前記第２の傾斜面は、前記カッター押し棒の近位端に向かって、且つ遠位端から近位端に向かって下降するように傾斜することを特徴とする請求項１３に記載のステープリングヘッドアセンブリ。
【請求項１５】
本体を備える内視鏡外科手術縫合切断装置であって、
前記請求項１〜１４のいずれか１項に記載のステープリングヘッドアセンブリをさらに備え、
前記ステープリングヘッドアセンブリの連結管及びカッター押し棒は、前記本体に連結することを特徴とする内視鏡外科手術縫合切断装置。
【考案の詳細な説明】
【技術分野】
【０００１】
本考案は、医療器具分野に関し、具体的には、誤触発を防止する安全機構を備えるステープリングヘッドアセンブリ及びこのステープリングヘッドアセンブリを備える内視鏡外科手術縫合切断装置に関する。
【背景技術】
【０００２】
縫合切断装置は、外科手術中の傷口の縫合、内部組織の縫合及び切断に広く用いられている。外科手術が現在まで発展されるに連れ、ますます低侵襲手術に傾いていく。広義には、創傷を減少できる手術が全て低侵襲手術と称され、狭義には、低侵襲手術とは、内視鏡下で行う手術である。内視鏡下での手術は、一般的には、患者の体にいくつかの小孔を開けて、組織を切除、縫合する器具及び補助器具を小孔から患者の体内に深く入れて手術を行えばいい。低侵襲手術が患者にもたらす創傷が小さく、患者が短い時間内で回復できるため、低侵襲手術は、ますます人気が高まっている。
【０００３】
従来技術において、低侵襲手術に用いられる内視鏡外科手術用直線縫合切断装置は、器具本体を備え、前記器具本体は、ハウジングと、ハウジングに枢軸が設けられた触発ハンドルと、を備え、このハウジングには、相対移動可能な触発棒が設けられ、前記触発棒は、ハウジングの前端に位置するステープリングヘッドアセンブリを押して縫合及び切除を行うことができる。具体的には、前記ステープリングヘッドアセンブリは、ステープルカートリッジホルダと、ステープルカートリッジホルダに枢接するステープルアンビルと、を備える。前記ステープルカートリッジホルダには、ステープルカートリッジが着脱可能に設けられる。前記ステープリングヘッドアセンブリは、ステープリングヘッドアセンブリの管継手内に移動可能に設けられ、且つ触発棒に合わせるカッター押し棒をさらに備え、前記カッター押し棒の遠位端にカッターが固定され、このカッターは、前進する過程中でステープルカートリッジとステープルアンビルを閉合させ、ステープルカートリッジとステープルアンビルとの間に位置する組織を切断するとともに、触発ブロックがステープル押込スライスをステープルカートリッジの外部へ順次押し出すように駆動し、さらに、ステープル押込スライスがステープルをステープルカートリッジの外部へ押し出して組織に綴じ合わせる。
【考案の概要】
【考案が解決しようとする課題】
【０００４】
従来技術において、ステープルカートリッジアセンブリは、内視鏡外科手術用縫合切断装置の器具ステージ、即ち、本体に装着された後でこそ、手術を行うことができる。しかし、ステープルカートリッジアセンブリが内視鏡ステープラーの器具ステージに装着される前、組立、包装及び輸送等の過程において、カッター押し棒ががたつきを発生する可能性があり、したがって、カッター押し棒がカッターを押して当該カッターを移動させて、器具の誤触発をもたらし、且つカッター押し棒が位置ずれを発生すると、器具ステージとカッター押し棒が正確に装着できないこともあり、器具が正常に使用できなくなる。
【０００５】
本考案は、カッター押し棒が組立、包装及び輸送等の過程においてがたつきを発生することを有効に防止でき、且つ器具の誤触発を防止できるステープリングヘッドアセンブリ及び内視鏡外科手術縫合切断装置を提供する。
【課題を解決するための手段】
【０００６】
本考案の一態様によれば、ステープリングヘッドアセンブリを提供し、前記ステープリングヘッドアセンブリは、ステープルカートリッジが着脱可能に設けられるステープルカートリッジホルダと、ステープルカートリッジに対して回転可能に閉合するステープルアンビルと、前記ステープルカートリッジ内に移動可能に設けられる触発ブロックと、その遠位端が前記ステープルカートリッジホルダの近位端に連結する連結管と、前記連結管内に移動可能に設けられ、その遠位端には、前記カッター押し棒の推進下で前記触発ブロックを押して前記触発ブロックを移動させるカッターが設けられるカッター押し棒と、前記連結管に連結する安全機構と、を備え、前記安全機構は、前記カッター押し棒の近位端をロックし、前記カッター押し棒が前記ステープリングヘッドアセンブリの使用前に移動することを防止するための、前記連結管に対して第１の位置と第２の位置との間に回転できる押さえブロックと、前記押さえブロックを押して前記押さえブロックを前記第１の位置から前記第２の位置へ回転させるための、前記押さえブロックの一側に位置され、且つ前記連結管に対してその縦方向に沿って第３の位置と第４の位置との間に移動できる押しブロックと、を備える。
【０００７】
本考案の実施例において、前記カッター押し棒の近位端に第１の係止部が設けられ、前記押さえブロックに第２の係止部が設けられ、前記押さえブロックが前記第１の位置に位置する場合、前記第２の係止部が前記第１の係止部に係止し、前記カッター押し棒がロック状態にあって移動できなく、前記押さえブロックが前記第２の位置に回転した場合、前記第２の係止部が前記第１の係止部から離脱し、前記カッター押し棒がロック解除状態にあり、縦方向に移動できる。
【０００８】
本考案の実施例において、前記押しブロックは、前記連結管の外周に設けられ、前記押しブロックが前記第３の位置から前記第４の位置に移動した場合、前記押さえブロックを押して前記押さえブロックを前記第１の位置から前記第２の位置に回転させる。
【０００９】
本考案の実施例において、前記連結管の側壁には、その縦方向に沿って延伸する第１の位置規制溝が設けられ、前記押さえブロックは、ピン軸によって前記第１の位置規制溝内に連結し、且つ前記ピン軸を回って前記連結管に対して回転できる。
【００１０】
本考案の実施例において、前記押さえブロックの近位端は、前記ピン軸によって前記連結管に連結し、前記第２の係止部は、前記押さえブロックの遠位端に設けられる。
【００１１】
本考案の実施例において、前記連結管には、その縦方向に沿って延伸された第２の位置規制溝がさらに設けられ、前記第２の位置規制溝は、前記第１の位置規制溝の一側に位置し、且つ前記第１の位置規制溝に連通し、前記押しブロックは、前記第２の位置規制溝内に設けられ、且つ前記第２の位置規制溝に沿って前記第３の位置と第４の位置との間に移動できる。
【００１２】
本考案の実施例において、前記安全機構は、前記押さえブロックと前記連結管に連結し、前記押さえブロックが前記第２の位置から前記第１の位置へ回転するように駆動するトーションスプリングと、前記押しブロックと前記連結管に連結し、前記押しブロックが前記第４の位置から前記第３の位置方向へ移動するように駆動するスプリングと、をさらに備える。
【００１３】
本考案の実施例において、前記スプリングの近位端は、前記押しブロックの遠位端に連結し、前記スプリングの遠位端は、前記連結管に連結する。
【００１４】
本考案の実施例において、前記トーションスプリングの一端は、前記押さえブロックに連結し、その他端は、前記連結管の内壁に連結する。
【００１５】
本考案の実施例において、前記押しブロックの外面には、第１の案内部が設けられ、前記押さえブロックの遠位端の前記押しブロックに近づく一側の側壁には、第２の案内部が設けられ、前記第２の案内部は、前記押しブロックの外面に設置され、前記押しブロックが前記第３の位置から前記第４の位置に移動する場合、前記第１の案内部は、前記押さえブロックが前記第１の位置から前記第２の位置に回転するように第２の案内部を押す。
【００１６】
本考案の実施例において、前記第１の案内部は、第１の傾斜面であり、前記第１の傾斜面は、前記押しブロックの遠位端に向かって、且つ遠位端から近位端に向かって上昇するように傾斜する。
【００１７】
本考案の実施例において、前記第２の案内部は、前記押さえブロックの遠位端の側壁に凸設されるバンプである。
【００１８】
本考案の実施例において、前記カッター押し棒の近位端には、第３の案内部がさらに設けられ、前記カッター押し棒が前記連結管の近位端へ移動する場合、前記第３の案内部は、前記押さえブロックが前記第１の位置から第２の位置に回転するように案内する。
【００１９】
本考案の実施例において、前記第３の案内部は、第２の傾斜面であり、前記第２の傾斜面は、前記カッター押し棒の近位端に向かって、且つ遠位端から近位端に向かって下降するように傾斜する。
【００２０】
本考案の別の態様によれば、本体を備える内視鏡外科手術縫合切断装置を提供し、当該内視鏡外科手術縫合切断装置は、上記のステープリングヘッドアセンブリをさらに備え、前記ステープリングヘッドアセンブリの連結管及びカッター押し棒は、前記本体に連結することを特徴とする内視鏡外科手術縫合切断装置。
【考案の効果】
【００２１】
本考案に提供されたステープリングヘッドアセンブリ及び内視鏡外科手術縫合切断装置によれば、ステープルカートリッジアセンブリが内視鏡ステープラーの器具ステージに装着される前、組立、包装及び輸送等の過程において、カッター押し棒が、がたつきを発生することを有効に防止し、器具の誤触発を有効に防止でき、且つ手術前に器具ステージとカッター押し棒が正確に装着されることを確保できる。
【００２２】
以下の図面を参照しながら非限定的な実施例に対する詳細な説明から、本考案の他の特徴、目的及び利点がさらに明らかとなる。
【図面の簡単な説明】
【００２３】
【図１】本考案のステープリングヘッドアセンブリの斜視図である。
【図２】本考案のステープリングヘッドアセンブリの分解図である。
【図３ａ】本考案のステープリングヘッドアセンブリのロック状態下の斜視図である。
【図３ｂ】図３ａにおける位置Ａの部分拡大図である。
【図４】本考案のステープリングヘッドアセンブリのロック状態における押さえブロックとカッター押し棒との連結関係を示す模式図である。
【図５ａ】本考案のステープリングヘッドアセンブリのロック解除状態下の斜視図である。
【図５ｂ】図５ａにおける位置Ｂの部分拡大図である。
【図６】本考案のステープリングヘッドアセンブリのロック解除状態における押さえブロックとカッター押し棒との連結関係を示す模式図である。
【考案を実施するための形態】
【００２４】
本考案に記述された近位端及び遠位端は、いずれも器具の操作者を参照としたものであり、操作者に近づく一端が近位端であり、操作者から離れた一端が遠位端である。本考案における縦方向とは、部材の長手方法であり、ほぼ遠位端から近位端の方向である。本考案の上方／上、下方／下、垂直、水平等の方向又は位置に対する記述は、図面を例として説明したものであるが、必要に応じて、変更を行ってもよく、行わなわれた変更は、いずれも本考案の範囲内に含まれる。また、用語第１の、第２の、第３の、第４の等は、単に説明の目的で使用され、相対重要性を指示又は暗示し、又は指示された技術的特徴の数を暗黙的に指摘すると理解すべきではない。
【００２５】
本考案の構想の主旨によれば、ステープリングヘッドアセンブリは、ステープルカートリッジホルダと、ステープルアンビルと、ステープルカートリッジと、触発ブロックと、連結管と、カッター押し棒と、カッターと、安全機構と、を備える。ステープルカートリッジホルダには、ステープルカートリッジが着脱可能に設けられ、ステープルアンビルは、ステープルカートリッジに対して回転可能に閉合され、触発ブロックは、前記ステープルカートリッジ内に移動可能に設けられ、連結管の遠位端は、前記ステープルカートリッジホルダの近位端に連結され、カッター押し棒は、前記連結管内に移動可能に設けられ、前記カッター押し棒の近位端に第１の係止部が設けられ、前記カッター押し棒の遠位端にカッターが設けられ、前記カッターは、前記カッター押し棒の推進下で前記触発ブロックを押して前記触発ブロックを移動させ、安全機構は、前記連結管に連結され、前記安全機構は、第２の係止部が設けられ、且つ前記連結管に対して第１の位置と第２の位置との間に回転でき、前記第１の位置に位置する場合、前記第２の係止部が前記第１の係止部に係止し、前記カッター押し棒がロック状態にあって移動できなく、前記押さえブロックが前記第２の位置に回転した場合、前記第２の係止部が前記第１の係止部から離脱され、前記カッター押し棒ロックが解除状態にあり、縦方向に移動できる押さえブロックと、前記連結管近位端の外周に設けられ、前記押さえブロックの一側に位置し、且つ前記連結管に対してその縦方向に沿って第３の位置と第４の位置との間に移動でき、前記第３の位置から前記第４の位置に移動した場合、前記押さえブロックを押して前記押さえブロックを前記第１の位置から第２の位置に回転させる押しブロックと、を備える。
【００２６】
以下、図面及び実施例を併せて本考案の技術内容をさらに説明する。
【００２７】
図１〜図４は、本考案のステープリングヘッドアセンブリの斜視図、分解図、ロック状態の斜視図及びロック状態の押さえブロックとカッター押し棒との連結関係をそれぞれ示してある。ここで、ステープリングヘッドアセンブリのステープルカートリッジホルダ、ステープルアンビル、ステープルカートリッジ及び触発ブロックは、本考案の創造的な部分ではないため、ステープリングヘッドアセンブリの構造をより明確に示すために、図１以外の他の図面において、いずれもステープリングヘッドアセンブリのステープルカートリッジホルダ、ステープルアンビル、ステープルカートリッジ及び触発ブロックを省略した。本考案の好ましい実施例において、ステープリングヘッドアセンブリは、ステープルカートリッジホルダ１と、ステープルアンビル２と、ステープルカートリッジ３と、触発ブロック（図示せず）と、連結管５と、カッター押し棒６と、カッター７と、安全機構と、を備える。
【００２８】
図１に示すように、ステープルアンビル２は、ステープルカートリッジホルダ１の上方に連結され、好ましくは、ステープルアンビル２の近位端は、ステープルカートリッジホルダ１の近位端に枢接する。ステープルカートリッジ３は、ステープルカートリッジホルダ１とステープルアンビル２との間に設けられ、且つステープルカートリッジホルダ１に着脱可能に連結される。ステープルカートリッジ２には、ステープル押込スライス及びステープルを収容するステープル収容孔が設けられ、一般的には、４列又は６列のステープル収容孔である。
【００２９】
連結管５の遠位端は、ステープルカートリッジホルダ１の近位端に連結する。図２に示すように、連結管５は、互いに組み合わせる上支持材５１、下支持材５２と、上支持材５１、下支持材５２の外部に外嵌されるスリーブ５３と、を備える。
【００３０】
連結管５の近位端には、第１の位置規制溝５４及び第２の位置規制溝５５が設けられる。図３ａに示す好ましい実施において、第１の位置規制溝５４は、上支持材５１の近位端の側壁に設けられる。第２の位置規制溝５５は、上支持材５１と下支持材５２の組み合わせる位置の近位端に設けられ、第２の位置規制溝５５は、連結管５の縦方向に沿って設けられ、第２の位置規制溝５５は、第１の位置規制溝５４の一側に位置され、且つ第１の位置規制溝５４に連通する。
【００３１】
カッター押し棒６は、連結管５内に移動可能に設けられる。具体的には、カッター押し棒６は、上連結部材５１と下連結部材５２との間に設けられる。カッター押し棒６の近位端６１の頂部には、第１の係止部６３が凸設され、カッター押し棒６の遠位端６２は、カッター７の近位端７１に連結する。カッター７の遠位端７２には、刃７３がさらに設けられる。前記カッター押し棒６がカッター７を押して当該カッター７を遠位端へ移動させる過程において、刃７３によりステープルアンビル２とステープルカートリッジ３との間に位置する組織を切断でき、それとともに、カッター７は、触発ブロックを押して当該触発ブロックを移動させることができ、これによって、ステープル押込スライスをステープルカートリッジ３から順次押し出し、さらに、ステープルをステープルカートリッジ３から押し出して組織に綴じ合わせる。本実施例において、カッター７の縦断面は、エ字状であり、前記カッター押し棒６がカッター７を押して当該カッター７遠位端へ移動させる過程において、エ字状のカッター７によって、ステープルアンビル２をステープルカートリッジ３に向かって閉合させることができる。
【００３２】
安全機構は、連結管５の近位端に連結され、安全機構は、押さえブロック８１と、押しブロック８２と、トーションスプリング８３と、スプリング８４と、を備える。
【００３３】
押さえブロック８１には、第２の係止部８１１が設けられ、且つ押さえブロック８１は、連結管５に対して第１の位置と第２の位置との間に回転でき、押さえブロック８１が第１の位置に位置する場合（図４の押さえブロック８１の位置が第１の位置であり）、押さえブロック８１上の第２の係止部８１１がカッター押し棒６上の第１の係止部６３に係止し、カッター押し棒６が移動できなく、ロック状態にあるようになり、押さえブロック８１が第２の位置に回転した場合（図６の押さえブロック８１の位置が第２の位置であり）、第２の係止部８１１が第１の係止部６３から離脱され、カッター押し棒６が移動でき、ロック解除状態にある。本実施例において、押さえブロック８１が第１の位置から第２の位置へ回転することは、押さえブロック８１が図４に示す位置から反時計回りに回転することに相当する。図３ａ及び図３ｂに示すように、押さえブロック８１は、ピン軸９によって第１の位置規制溝５４内に連結され、押さえブロック８１の近位端は、ピン軸９を回って連結管５に対して回転できる。第２の係止部８１１は、押さえブロック８１の遠位端に設けられる。
【００３４】
押しブロック８２は、連結管５の外周に設けられ、押さえブロック８１の一側に位置され、且つ連結管５に対してその縦方向に沿って第３の位置と第４の位置との間に移動でき、押しブロック８２が第３の位置から第４の位置に移動した場合、押さえブロックを押して当該押さえブロックを第１の位置から第２の位置に回転させる。図３ａ及び図３ｂに示すように、押しブロック８２は、第２の位置規制溝５５内に設けられ、且つ第２の位置規制溝５５に沿って第３の位置と第４の位置との間に移動でき、図３ｂにおける押しブロック８２の位置が第３の位置であり、この時、押さえブロック８１は、押しブロック８２の遠位端に接触し、且つ押さえブロック８１上の第２の係止部８１１は、カッター押し棒６上の第１の係止部６３に係止し、図５ｂにおける押しブロック８２の位置が第４の位置であり、この時、押さえブロック８１は、押しブロック８２の近位端に接触し、且つ押さえブロック８１上の第２の係止部８１１は、カッター押し棒６上の第１の係止部６３から離脱し、第３の位置は、第４の位置の近位端に位置する。
【００３５】
トーションスプリング８３は、ピン軸９によって押さえブロック８１及び連結管５に連結され、押さえブロック８１を駆動して当該押さえブロック８１を第２の位置から第１の位置へ回転させる。本実施例において、トーションスプリング８３の一端は、押さえブロック８１に連結し、他端は、上支持材５１の内壁に連結する。
【００３６】
スプリング８４は、押しブロック８２と連結管５に連結し、押しブロック８２を駆動して当該押しブロック８２を第４の位置から第３の位置の方向へ移動させる。図３ｂに示すように、スプリング８４の近位端は、押しブロック８２の遠位端に連結し、スプリング８４の遠位端は、上支持材５１の側壁に連結する。当業者であれば、一部の実施例において、弾性部材は、変化を行うことができ、例えば、弾性部材が押しブロック８２と上支持材５１の側壁との間に設けられる弾性ブロックであってもよいことを理解すべきである。ここでは詳細な説明を省略する。
【００３７】
さらに、図３ｂを参照すると、本考案のステープリングヘッドアセンブリのロック解除前、押さえブロック８１は、第１の位置に位置し、押しブロック８２は、第３の位置に位置する。押さえブロック８１の遠位端の押しブロック８２側に近づく側壁には、第２の案内部が８１２設けられ、第２の案内部８１２は、押しブロック８２の外面に貼り付けられ、好ましくは、第２の案内部８１２が押さえブロック８１の遠位端の側壁に凸設されるバンプである。前記バンプは、押さえブロック８１の側面から延出し、第１の位置規制溝５４と第２の位置規制溝５５の連通位置を通過して押しブロック８２の外面に貼り付けられる。押しブロック８２の外面には、第１の案内部８２１が設けられ、押しブロック８２が第３の位置から第４の位置に移動した場合、第１の案内部８２１は、押さえブロック８１が第１の位置から第２の位置に回転するように、第２の案内部８１２を押し、第１の案内部８２１は、第１の傾斜面であり、第１の傾斜面は、押しブロック８２の遠位端から近位端に向かって上昇するように傾斜し、図３ｂに示すように、第１の傾斜面は、バンプの近位端側に位置する。
【００３８】
さらに、図５ａ、図５ｂ及び図６は、ステープリングヘッドアセンブリのロック解除状態下の斜視図及び押さえブロックとカッター押し棒との連結関係をそれぞれ示めしてある。図５ａ及び図５ｂでは、安全機構の構造をより明確に示すために、連結管５を省略した。図３ｂに示すように、ステープリングヘッドアセンブリを縫合切断装置のステージ上に装着する過程において、押しブロック８２は、付勢されてその遠位端へ押され、押さえブロック８１の第２の案内部８１２（バンプ）は、押しブロック８２の第１の案内部８２１（第１の傾斜面）に沿って移動し、第１の傾斜面が遠位端から近位端に向かって上昇するように傾斜するため、バンプは、押しブロック８２が第３の位置から第４の位置に移動する過程中で持ち上げられ、相応的に、押さえブロック８１の遠位端に位置する第２の係止部８１１も持ち上げられ、押さえブロック８１は、ピン軸９を回って第１の位置から第２の位置に回転する（即ち、図４に示す位置から図６に示す位置に回転する）。図６に示すように、この時、押さえブロック８１の第２の係止部８１１は、カッター押し棒６の第１の係止部６３から離脱し、カッター押し棒６は、ロック解除状態にあり、触発アセンブリの作用下で遠位端へ移動できる。縫合切断装置が触発を完了して、ステープリングヘッドアセンブリを縫合切断装置のステージから取り外す場合、押しブロック８２は、外力からの作用を失って、スプリング８４の作用下で第３の位置に戻り、それとともに、押さえブロック８１は、押しブロック８２の近位端からその遠位端に移動し、且つ押さえブロック８１は、トーションスプリング８３の作用下で、回転して第１の位置に戻る。
【００３９】
本考案の好ましい実施例において、カッター押し棒６の近位端６１には、第３の案内部６４がさらに設けられてもよく、カッター押し棒６が近位端へ移動する場合、第３の案内部６４は、押さえブロック８１を案内して当該押さえブロック８１を第１の位置から第２の位置に回転させることができる。好ましくは、第３の案内部６４は、第２の傾斜面である（図４又は図６に示すように）。前記第２の傾斜面は、カッター押し棒６の近位端６１に向かって、且つ遠位端から近位端に向かって下降するように傾斜する。カッター押し棒６がリセットされて近位端に戻る過程において、押さえブロック８１の第２の係止部８１１は、第２の傾斜面に沿って移動して、押さえブロックを第１の位置から第２の位置に回転させることができ、カッター押し棒６がリセットされた後、押さえブロック８１は、トーションスプリング８３の作用下で再び第１の位置に回転し、第２の係止部８１１は、カッター押し棒６の第１の係止部６３に再係止されて、カッター押し棒６をロック状態に復帰させる。第２の傾斜面は、カッター押し棒６のリセットを便利させることができる。当業者であれば、第３の案内部６４が必須ではなく、カッター押し棒６のリセット過程において、同様に、押しブロック８２を押す方法採用して押さえブロック８１を第４の位置に回転させた後、カッター押し棒６を引張ってリセットしてもよいことを理解すべきである。ここでは詳細な説明を省略する。
【００４０】
本実施例のがたつき及び誤触発を防止する構造は、押しブロック８に外力を加えて押しブロック８を駆動して当該押しブロック８を縦方向に移動させて、押さえブロック８１が回転して持ち上げられるようにしてこそ、カッター押し棒６が解放されてロック解除状態にあるようになり、押しブロック８に外力を加えない場合、押さえブロック８１の遠位端の第２の係止部とカッター押し棒６の第１の係止部との係止が保持されて、カッター押し棒６がロック状態にあるようになり、これによって、カッター押し棒６のがたつき及び誤触発を阻む。
【００４１】
本考案は、内視鏡外科手術縫合切断装置をさらに提供する。この縫合切断装置は、本体と、ステープリングヘッドアセンブリと、を備える。ここで、ステープリングヘッドアセンブリは、図１〜図６に示すステープリングヘッドアセンブリである。ステープリングヘッドアセンブリの連結管５及びカッター押し棒６は、本体に連結する。この本体は、カッター押し棒６を押して、カッター７をステープルカートリッジホルダ１の遠位端の方向へ移動させることができる。
【００４２】
上記の図１〜図６に示す実施例を総合して、当業者であれば、本考案に提供されたステープリングヘッドアセンブリ及び内視鏡外科手術縫合切断装置は、ステープルカートリッジアセンブリが内視鏡ステープラーの器具ステージに装着される前の組立、包装及び輸送等の過程において、カッター押し棒が、がたつきを発生することを有効に防止でき、手術前に器具ステージとカッター押し棒が正確に装着されることを確保でき、且つ誤触発を防止できる。
【００４３】
以上、本考案の具体的な実施例を説明した。本考案が上記特定の実施形態に限定されず、当業者であれば、請求の範囲内で様々な変形又は修正を行うことができ、これは本考案の実質的な内容に影響しないこと、を理解すべきである。
【図１】
0003214069.tif 000003
【図２】
0003214069.tif 000004
【図３ａ】
0003214069.tif 000005
【図３ｂ】
0003214069.tif 000006
【図４】
0003214069.tif 000007
【図５ａ】
0003214069.tif 000008
【図５ｂ】
0003214069.tif 000009
【図６】
0003214069.tif 000010